(57)【特許請求の範囲】
【請求項１】
吸水性を有する糸を編成または織成して筒状に形成された頭髪を収容するための筒布本体と、
筒布本体の一端側に形成された被り口の周縁部の周方向に離間した位置に設けられた２つの第１係止部と、
被り口とは反対側の筒端部の周方向に離間した位置に設けられて前記第１係止部と係脱可能に係合する２つの第２係止部と、を備えて成り、
それぞれの第２係止部が、当該第２係止部に対し筒布本体の筒心から傾いた方向の位置にある第１係止部と係合する構成にされていることを特徴とする頭髪被包体。
【請求項２】
各第１係止部または各第２係止部が、筒布本体の周方向に沿って複数個設けられている請求項１に記載の頭髪被包体。
【請求項３】
筒布本体を構成する糸が、懸縮繊維を含んでいる請求項１または請求項２に記載の頭髪被包体。
【請求項４】
請求項１から請求項３までのいずれか一項に記載の頭髪被包体において筒両端に筒端開口を有する筒布本体を用いて頭髪を乾かす頭髪乾燥方法であって、
被り口から人頭部を挿入して筒布本体全体を人額部よりも下方位置に配置させる被り込みステップと、
被り口とは反対側の筒端開口を引き上げて筒布本体内に頭髪を収容するとともに被り口を人額部の位置まで引き上げる頭髪収容ステップと、
収容した頭髪とともに筒布本体を捻る筒布本体捻りステップと、
筒布本体が捻られた状態で、それぞれの第２係止部を、当該第２係止部に対し左右対角位置にあるそれぞれの第１係止部と係合させる係合ステップと、を備えていることを特徴とする頭髪被包体を用いた頭髪乾燥方法。
【発明の詳細な説明】
【技術分野】
【０００１】
本発明は、濡れた頭髪を乾燥させるために用いられる頭髪被包体および頭髪乾燥方法に関するものである。
【背景技術】
【０００２】
従来、この種の頭髪被包体としては、下記の特許文献１，２に記載されたものが知られている。両文献に開示された頭髪被包体は同様の構成であるので、特許文献１に記載の頭髪被包体を図９に示す。図示の頭髪被包体５１は、吸水性を有し筒状に形成された筒布本体５２と、筒布本体５２の一端側の被り口５３の周縁部５４に設けられた第１係止部５７と、反対側の筒端開口５５の周縁部５６であって第１係止部５７に対し筒布本体５２の筒心Ｃと平行な位置に設けられた第２係止部５８と、を備えている。第１係止部５７と第２係止部５８とは係脱可能に係合するようになっている。
使用に際しては、頭髪被包体５１を頭から被って首まで下げたのちに引き上げて、筒布本体５２内に頭髪を収容するとともに被り口５３を額の位置まで引き上げる。次に、収容した頭髪とともに筒布本体５２の筒端開口５５側を前方に折り返し、筒布本体５２が折り返された状態で、第２係止部５８を第１係止部５７に係止させると記載している。そして、その状態のまま放置し、頭髪の水分を吸水するようにしている。尚、特許文献２に記載のものでは、筒布本体５２全面にわたってゴム糸を挿入することにより、筒布本体５２全体に伸縮性を持たせるようにされている。
【先行技術文献】
【特許文献】
【０００３】
【特許文献１】特開２０１０−１６７２７３号公報
【特許文献２】実用新案登録第３１４９２６５号公報
【発明の概要】
【発明が解決しようとする課題】
【０００４】
ところが、上記した特許文献１，２に記載の頭髪被包体では、第２係止部５８がそのまま筒心Ｃ方向に運ばれて第１係止部５７に係止されるので、筒布本体５２は単に筒心Ｃ方向に折り返されるだけである。従って、収容されている頭髪と筒布本体５２内の布地との間には隙間が生じており、頭髪全体が布地に密着していない。特に、筒布本体５２内の被り口５３に近い部分が広いので、その部分で頭髪がだぶつく。そのために、頭髪から吸い取られる吸水量が小さく、長時間放置しても頭髪が乾きにくいという難点がある。
一方で、特許文献２に記載の頭髪被包体では、丸編機で編成した筒状編地をいったん切り開いて平編地とし、これにゴム糸を編み込んで伸縮性を持たせたのち、縫製により再び筒状の筒布本体としていたので、製造に手間がかかりコストも高くつくのである。
【０００５】
本発明は、上記した従来の問題点に鑑みてなされたものであって、筒布本体内に収容した頭髪から効率よく吸水して頭髪を素早く乾燥させることのできる頭髪被包体およびこれを用いた頭髪乾燥方法の提供を目的とする。
【課題を解決するための手段】
【０００６】
上記目的を達成するために、本発明に係る頭髪被包体は、吸水性を有する糸を編成または織成して筒状に形成されて頭髪を収容する筒布本体と、筒布本体の被り口の周縁部の周方向に離間した位置に設けられた２つの第１係止部と、被り口とは反対側の筒端部の周方向に離間した位置に設けられて前記第１係止部と係脱可能に係合する２つの第２係止部と、を備えて成り、それぞれの第２係止部が、当該第２係止部に対し筒布本体の筒心から傾いた方向の位置にある第１係止部と係合する構成にされているものである。
【０００７】
また、前記構成において、各第１係止部または各第２係止部が、筒布本体の周方向に沿って複数個設けられているものである。
【０００８】
そして、前記した各構成において、筒布本体を構成する糸が懸縮繊維を含んでいるものである。
【０００９】
更に、本発明に係る頭髪乾燥方法は、頭髪被包体において筒両端に筒端開口を有する筒布本体を用いて頭髪を乾かす方法であって、被り口から人頭部を挿入して筒布本体全体を人額部よりも下方位置に配置させる被り込みステップと、被り口とは反対側の筒端開口を引き上げて筒布本体内に頭髪を収容するとともに被り口を人額部の位置まで引き上げる頭髪収容ステップと、収容した頭髪とともに筒布本体を捻る筒布本体捻りステップと、筒布本体が捻られた状態で、それぞれの第２係止部を、当該第２係止部に対し左右対角位置にあるそれぞれの第１係止部と係合させる係合ステップと、を備えているものである。
【発明の効果】
【００１０】
本発明に係る頭髪被包体によれば、それぞれの第２係止部が、当該第２係止部に対し筒布本体の筒心から傾いた方向の位置にある第１係止部と係合するので、収容された頭髪と共に筒布本体が捻られた状態に保持される。これにより、筒布本体内面の布地と頭髪との間に隙間を生じることがなく、吸水性を有する布地に頭髪を密着させることができる。また、捻られた筒布本体の筒端部が被り口側に２箇所で係止されるので、筒布本体の捻り状態はほどけることがなく、その捻り状態を持続させることができる。その結果、頭髪から効率よく多量に吸水することができ、迅速に頭髪を乾かすこととなる。
【００１１】
また、各第１係止部または各第２係止部が、筒布本体の周方向に沿って複数個設けられているものでは、周方向に異なる位置の第１係止部に第２係止部を係止できるので、筒布本体の捻り度合を変えて頭髪との密着状態を変えることができ、所望の吸水能力や使い心地を得ることができる。
【００１２】
そして、筒布本体を構成する糸が懸縮繊維を含んでいるものでは、高い伸縮性を有する筒布本体を得ることができる。それにより、筒布本体の全体にわたってゴム糸を編み込むといった作業を必要とせず、筒布本体を容易に製造できる。
【００１３】
更に、本発明に係る頭髪乾燥方法によれば、収容した頭髪と共に筒布本体を捻ったのちに２箇所で係止させるという簡単な操作で、多量に吸水して頭髪を素早く乾燥させることができる。
【図面の簡単な説明】
【００１４】
【図１】本発明の一実施形態に係る頭髪被包体の正面図である。
【図２】前記頭髪被包体の背面図である。
【図３】前記頭髪被包体を後方から見上げた外観図である。
【図４】前記頭髪被包体を用いた頭髪乾燥方法を示す図であり、（ａ）は頭髪被包体を人頭部の上方にかざした状態を示す説明図、（ｂ）は頭髪被包体を被って人首部まで下げた状態を示す説明図、（ｃ）は頭髪被包体を引き上げて筒布本体内に頭髪を収容し被り口を人額部の位置まで引き上げた状態を示す説明図である。
【図５】収容した頭髪および筒布本体を共に捻った状態を示す図であって、（ａ）は側面説明図、（ｂ）は背面説明図である。
【図６】捻られた状態の筒布本体におけるそれぞれの第２係止部をそれぞれの第１係止部と係合させた状態を示す図であって、（ａ）は正面説明図、（ｂ）は背面説明図、（ｃ）は側面説明図である。
【図７】本発明の別の実施形態に係る頭髪被包体を真後ろから見上げた外観図である。
【図８】本発明の他の実施形態に係る頭髪被包体を示す正面図である。
【図９】本発明の背景となる従来の頭髪被包体を示す正面図である。
【発明を実施するための形態】
【００１５】
本発明の実施形態を図面に基づいて説明する。尚、以下に述べる実施形態は本発明を具体化した一例に過ぎず、本発明の技術的範囲を限定するものでない。図１は本発明の一実施形態に係る頭髪被包体の正面図、図２は前記頭髪被包体の背面図、図３は前記頭髪被包体を後方から見上げた外観図である。
各図において、この実施形態に係る頭髪被包体１は、筒状に形成された筒布本体２と、筒布本体２の一方の筒端開口である被り口３の周縁部４近傍にそれぞれ設けられた第１係止部９，１０と、被り口３とは反対側の筒端開口５（反対側の筒端部の例）における周縁部６近傍に設けられた第２係止部１１，１２と、筒布本体２の周縁部４近傍に全周にわたって編み込まれたゴム糸１７と、から構成されている。
【００１６】
筒端開口５の内径は被り口３の内径よりも大きくされている。すなわち、筒布本体２は筒端開口５に近づくほど広くなる末広状に形成されている。また、被り口３の周縁部４は人頭部Ｅの外周と同程度の内周長を有し、ゴム糸１７が添えられていることにより人頭部Ｅの周囲にしっかりと密着するほどの弾性力を有している。そして、筒布本体２の正面下部には、例えば筒布本体２と同じ素材で作成されたリボン飾り８が取り付けられている。
【００１７】
筒布本体２は、吸水性を有する糸１８を原料として例えば丸編機により編成されている。この糸１８は、極めて高い吸水性と適度の伸縮性を有するマイクロファイバーであるポリエチレン繊維１５と、高い伸縮性を有する懸縮繊維１６（例えばスパンデクス＝ポリウレタン弾性繊維）とから構成される。これらポリエチレン繊維１５と懸縮繊維１６は、張力をかけられた状態でひき揃えられて編成に使用される。懸縮繊維１６は、例えば１０〜１５重量部のポリウレタン繊維のまわりに残り重量部のポリエチレン繊維が巻き付けられて、これらに懸縮処理が施されたものである。
【００１８】
そして、この例では、第１係止部９が例えばボタンで構成されて周縁部４の右端部４Ａよりやや後側に取り付けられている。第１係止部１０も例えばボタンで構成されて周縁部４の左端部４Ｂよりやや後側に取り付けられている。一方、第２係止部１１は例えばボタン穴で構成されて周縁部６の右端部６Ａよりやや前側に取り付けられている。第２係止部１２も例えばボタン穴で構成されて周縁部６の左端部６Ｂよりやや前側に取り付けられている。
また、第２係止部１１は、左斜め下の対角位置（すなわち、第２係止部１１に対し筒布本体２の筒心Ｃから傾いた方向の位置）にある第１係止部１０と係脱可能に係合するように構成されている。第２係止部１２は、右斜め下の対角位置（すなわち、第２係止部１２に対し筒布本体２の筒心Ｃから傾いた方向の位置）にある第１係止部９と係脱可能に係合するように構成されている。
【００１９】
引き続き、上記のように構成された頭髪被包体１を用いて頭髪を乾かす方法を、図４〜図６を順次参照しながら説明する。
先ず、図４（ａ）に示すように、頭髪被包体１は利用者の人頭部Ｅの上方にかざされる（１）。そして、利用者は人頭部Ｅを被り口３から筒布本体２内に挿入し、図４（ｂ）の矢印Ｄで示すように、筒布本体２全体を例えば人首部まで引き下げる。この場合、筒布本体２全体を人額部Ｈよりも下方位置に配置させれば、頭髪Ｊを筒端開口５から外へ引き出すことができる（被り込みステップ（２））。
【００２０】
続いて、利用者は、図４（ｃ）に示すように、被り口３とは反対側の筒端開口５を真上に引き上げて後方に引く（矢印Ｋ）。これにより、筒布本体２内に頭髪Ｊが収容される。筒端開口５近傍の筒布本体２は広いので、筒布本体２内で頭髪Ｊを広げて、できるだけ筒布本体２内の布地に触れるようにしておく。尚、頭髪Ｊが長い場合は、頭髪Ｊの先端をいったん筒端開口５から外へ引き出したのち、筒布本体２内に収まった頭髪Ｊは広げておく。そののちに、外に出ている頭髪Ｊの全てを筒端開口５から筒布本体２内に収めるとよい。その後、被り口３が人額部Ｈの位置に来るように筒布本体２が引き上げられる（頭髪収容ステップ（３））。このとき、被り口３の周縁部４は、ゴム糸１７の弾性力により、人に苦痛を与えない程度に人頭部Ｅの周囲を締め付けて保持される。このような周縁部４の保持力は、後で述べる筒布本体２の捻り動作および第２係止部の第１係止部への係合動作を行なう際に、筒布本体２を安定に保持することに役立つ。
【００２１】
次に、利用者は、図５（ａ），（ｂ）に示すように、筒布本体２内に収容した頭髪Ｊと一緒に筒布本体２をほぼ筒心Ｃ回りに捻る（筒布本体捻りステップ（４））。例えば、周縁部６の右端部６Ａが矢印Ｍのように捻られ、左端部６Ｂが矢印Ｌのように捻られる。これにより、筒布本体２内の頭髪Ｊは高吸水性のポリエステル繊維１５に広い面積で密着するのである。ここでは、右端部６Ａおよび左端部６Ｂをほぼ半回転捻った例を示したが、筒布本体２の周縁部６内の広さと利用者の頭髪量との関係によっては１回転以上捻ることも可能である。
【００２２】
続いて、利用者は、図６（ａ），（ｂ），（ｃ）に示すように、筒布本体２を捻った状態で第２係止部１１を第１係止部１０に嵌め込んで係合させ、第２係止部１２を第１係止部９に嵌め込んで係合させる（係合ステップ（５））。すなわち、第２係止部１１，１２が、これら第２係止部１１，１２に対し上下左右対角位置にあった第１係止部１０，９にそれぞれ係止されるのである。
そうして、頭髪Ｊから多量の水分が吸い出されるまでの間、頭髪被包体１は図６に示した状態のままで放置される。この場合、筒布本体２は糸１８の一部に懸縮繊維１６を配しており高い伸縮性を備えているので、収容されている頭髪Ｊは筒布本体２全体の弾性力で締め付けられたまましっかりと布地に密着している。そのために、高い吸水力が長時間保持される。
【００２３】
その後、頭髪Ｊの水分が少なくなった頃合に、利用者は第２係止部１２を第１係止部９から取り外し、第２係止部１１を第１係止部１０から取り外す。すると、筒布本体２が捻り状態から解放される。そこで、利用者は筒端開口５の近傍を引っぱって頭髪被包体１を人頭部Ｅから取り外すのである。
【００２４】
以上に述べたように、この実施形態の頭髪被包体１によれば、筒布本体２の筒端開口５の周縁部６が広く形成されているので、筒布本体２内で頭髪Ｊを幅広く広げて接触面積を稼ぐことができ余裕を持って筒布本体２を捻ることができる。一方、捻られた状態では筒布本体２内面の布地と頭髪Ｊとの間に隙間を生じさせることがなく、マイクロファイバーを含む糸１８製の布地に頭髪Ｊを広い面積で密着させることができる。また、捻られた筒布本体２の筒端開口５の周縁部６は被り口３側に２箇所で係止されるので、捻り状態の筒布本体２をほどけさせることなく、捻り状態を長時間にわたり保持することができる。その結果、頭髪Ｊの水を効率よく多量に吸水することができ、素早く乾かすことができる。そして、糸１８は懸縮繊維１６を含んでいて伸縮性が高いことから、筒布本体２はふわふわ状に嵩高く形成されていて肌触りが非常によい。また、高い伸縮性のために、筒布本体２を被った人頭部Ｅから抜けにくくなっている。因みに、通常の使用態様であれば、被り口３の近傍に縫い込んだゴム糸１７を使用しなくても、被った筒布本体２が人頭部Ｅから抜け落ちることはない。また、筒布本体２は丸編機などで簡単に製造できて工程デザインもよい。
【００２５】
尚、上記の実施形態では、左右の端部に１つずつ設けた例を示したが、本発明の頭髪被包体はそれに限定されるものでない。例えば、図７に示す頭髪被包体１ａのように、第１係止部９の後方（矢印Ｐ方向）の離間位置に、別の第１係止部９Ａを設けても構わない。そして、第１係止部９Ａの後方の離間位置に、更に別の第１係止部９Ｂを設けることも可能である。これは、第１係止部１０の後方（矢印Ｑ方向）の位置に、第１係止部１０Ａや第１係止部１０Ｂを設ける場合も同様である。すなわち、本発明の第１係止部は筒布本体の周方向に沿って複数個設けられる。
このように構成することにより、第２係止部１１，１２の止め位置を変えることができる。その結果、筒布本体２の捻り度合を変えられるので、利用者の好みや頭髪量に対応した吸水量を選定することができる。但し、図示はしないが、本発明の第１係止部は、上記した第１係止部９，１０よりも前方（矢印Ｐ，Ｑの反対方向）側に配置してもよい。
【００２６】
また、上記では、第２係止部としてボタン穴を例示したが、図８に示す頭髪被包体１ｂのように、前記の第２係止部１１，１２に替えて、ボタンに係脱可能に掛けられるリング紐で構成された第２係止部１１ａ，１２ａを用いることもできる。尚、捻りができるという第1係止部との適切な配置関係を損なわない限り、本発明の第２係止部を設ける位置は上記した第２係止部１１，１２，１１ａ，１２ａより後方または前方に離間配置しても構わない。すなわち、本発明の第２係止部は筒布本体の周方向に沿って複数個設けられる。
更には、第１係止部をボタン穴またはリング紐で構成し、第２係止部をボタンで構成してもよい。あるいは、ボタン、ボタン穴、リング紐に替えて、面ファスナの鉤状部材とループ状部材や、フック金具と留め輪などの組み合わせを用いることも可能である。
【００２７】
そして、上記では、編成により形成した筒布本体を例示したが、本発明では、織成により得た布地を筒状に縫製して得た筒布本体を用いることも可能である。
また、上記では、筒両端に筒端開口３，５を有しそのうちの一つを被り口３とした筒布本体２を例示したが、被り口だけを有する有底袋状の筒布本体であっても、本発明を適用することは可能である。
更に、上記では、第１係止部と第２係止部との組合せを２組設けた例を示したが、第１係止部９，１０の間の位置に別の第１係止部を設けるとともに、第２係止部１１，１２の間の位置に別の第２係止部を設け、これら別の第１係止部と別の第２係止部とを係脱可能に係合させるようにしても構わない。
また、上記では、高吸水性を有するポリエステル繊維を含む糸で筒布本体を形成した例を示したが、木綿糸で形成したタオル地製などの筒布本体も本発明に包含されるものである。
【符号の説明】
【００２８】
１，１ａ，１ｂ  頭髪被包体
２  筒布本体
３  被り口
４  周縁部
５  筒端開口
６  周縁部
９，９Ａ，９Ｂ  第１係止部
１０，１０Ａ，１０Ｂ  第１係止部
１１，１１ａ  第２係止部
１２，１２ａ  第２係止部
１５  ポリエステル繊維
１６  懸縮繊維
１８  糸
Ｃ  筒心
Ｈ  人額部
Ｊ  頭髪
Ｋ  矢印
Ｌ  矢印
Ｍ  矢印
Ｐ  矢印
Ｑ  矢印
【図１】
0005475811.tif 000002
【図２】
0005475811.tif 000003
【図３】
0005475811.tif 000004
【図４】
0005475811.tif 000005
【図５】
0005475811.tif 000006
【図６】
0005475811.tif 000007
【図７】
0005475811.tif 000008
【図８】
0005475811.tif 000009
【図９】
0005475811.tif 000010